(57)【要約】      （修正有）【課題】ハンマー本体に取り付けられる重りを、製造コストの上昇を抑制しながら、製造時の効率及び歩留まりを高めることができる鍵盤楽器のハンマー装置を提供する。【解決手段】押鍵された鍵と連動してハンマー４が回動することによりタッチ重さを付与する鍵盤楽器のハンマー装置であって、各ハンマー４は、前後方向に延び、前半部において回動自在に支持されるとともに、後半部に重り取付部３６を有するハンマー本体３１と、前後方向に延び、全てのハンマー４において形状及びサイズが同一に構成され、重り取付部３６の左右の一方の側面に取り付けられた第１重り３２Ａと、前後方向に延び、第１重り３２Ａの前後方向の長さ寸法以下であって、対応する鍵に要求されるタッチ重さに応じて設定された前後方向の長さ寸法を有し、重り取付部３６の左右の他方の側面に取り付けられた第２重り３２Ｂと、を有している。【選択図】図６
2015087591.tif 000002
【特許請求の範囲】
【請求項１】
複数の鍵にそれぞれ対応して設けられた複数のハンマーを備え、押鍵された前記鍵と連動して前記ハンマーが回動することによりタッチ重さを付与する鍵盤楽器のハンマー装置であって、
前記複数のハンマーの各々は、
前後方向に延び、前半部において回動自在に支持されるとともに、後半部に重り取付部を有するハンマー本体と、
前後方向に延び、全ての前記ハンマーにおいて形状及びサイズが同一に構成され、前記重り取付部の左右の一方の側面に取り付けられた第１重りと、
前後方向に延び、前記第１重りの前後方向の長さ寸法以下であって、対応する前記鍵に要求されるタッチ重さに応じて設定された前後方向の長さ寸法を有し、前記重り取付部の左右の他方の側面に取り付けられた第２重りと、
を有していることを特徴とする鍵盤楽器のハンマー装置。
【請求項２】
前記第１重り及び前記第２重りは、互いに同一に構成されかつ前記ハンマー本体の前記重り取付部に取り付けられる被取付部を有していることを特徴とする請求項１に記載の鍵盤楽器のハンマー装置。
【請求項３】
前記第１重り及び前記第２重りは、互いに厚さ及び幅が同一の金属板で構成されていること特徴とする請求項２に記載の鍵盤楽器のハンマー装置。
【発明の詳細な説明】
【技術分野】
【０００１】
本発明は、電子ピアノなどの鍵盤楽器に適用され、押鍵された鍵と連動してハンマーが回動することによりタッチ重さを付与する鍵盤楽器のハンマー装置に関する。
【背景技術】
【０００２】
従来、電子ピアノなどの鍵盤楽器のハンマー装置として、例えば特許文献１及び２に記載のものが知られている。これらのハンマー装置が適用された鍵盤楽器の鍵盤装置は、前後方向に延びる複数の鍵と、鍵ごとに設けられた複数のハンマーと、これらの鍵及びハンマーを、それぞれ回動自在にかつ左右方向に並んだ状態に支持する鍵盤シャーシとを備えている。
【０００３】
特許文献１のハンマーは、樹脂成形品のハンマー本体と、このハンマー本体に着脱自在に取り付けられた金属製の錘とを備えている。ハンマー本体は、前後方向に延びる所定形状に形成されており、前半部において鍵盤シャーシに回動自在に支持されるとともに、後半部に所定形状の錘取付部が設けられている。一方、錘は、前後方向に延びる金属板で構成されており、前半部にハンマー本体の錘取付部と相補形状を有する被取付部を有するとともに、その被取付部から鍵盤シャーシの後端付近まで延びるように形成されている。そして、この錘は、その被取付部をハンマー本体の錘取付部に嵌め込んだ状態で、前方にスライドさせることによって、ハンマー本体に固定され、逆に、その固定された状態から後方にスライドさせることによって、ハンマー本体から取り外せるようになっている。
【０００４】
一方、特許文献２のハンマーは、樹脂ホルダ及び金属基板で構成されたハンマー本体と、このハンマー本体の左右の側面に取り付けられた２つの質量板とを備えている。ハンマー本体は、樹脂ホルダに金属基板をインサート成形することによって、側面形状がほぼＳ字状に形成されている。金属基板の先端部には、所定位置にそれぞれ、左右方向に貫通するリベット孔及び２つの位置決め孔が形成されている。一方、２つの質量板は、外形が同一の金属板で構成されており、また、ハンマー本体側の面の所定位置に位置決め用の２つの突起が形成されるとともに、リベット孔が形成されている。そして、両質量板は、各突起を金属基板の対応する位置決め孔に嵌めた状態で、金属基板を左右両側から挟み、両質量板及び金属基板のリベット孔にリベットを挿入してかしめることにより、ハンマー本体に固定されている。
【０００５】
上述した特許文献１又は２のようなハンマーを有する電子ピアノでは、演奏時に、アコースティックピアノに近似した鍵盤のタッチ重さを得られるようにするために、低音側の鍵に対応するハンマーを重くし、高音側の鍵に対応するハンマーを軽くするようにしている。このため、ハンマー装置では一般に、全てのハンマー本体において共通のものが使用される一方、錘や質量板については、音域ごとに重さが異なるよう、互いに形状が異なる複数種類のものが使用されている。
【先行技術文献】
【特許文献】
【０００６】
【特許文献１】特開２０１１−２２４７２号公報
【特許文献２】特開２００４−３４１３２１号公報
【発明の概要】
【発明が解決しようとする課題】
【０００７】
しかし、特許文献１のハンマーでは、錘の被取付部の形状がハンマー間で共通であるものの、錘をハンマー本体に対して着脱可能にするために、被取付部の周縁部の所定位置に複数の凸部を形成しなければならず、被取付部の形状が複雑になっている。また、錘の被取付部に連なり後方に延びる部分を、音域ごとに形状が大きく異なるように形成する必要がある。一方、特許文献２のハンマーでは、ハンマーごとの２つの質量板の外形が共通であるものの、両質量板間で位置決め用の２つの突起の突出方向を異なるように形成しなければならず、加えて、音域ごとに外形の形状が大きく異なるように形成する必要がある。
【０００８】
以上のように、特許文献１又は２のハンマーの錘や質量板（以下、これらを「重り」という）は、形状が複雑で、かつ鍵盤楽器全体として多種類のものが必要になっている。このため、それらの重りを製造するために、金属板から複雑な形状を切り抜き可能な多種類の金型が必要になるために、製造コストが高くなってしまう。加えて、重りの形状が複雑である分、製造時の効率や歩留まりが低くなるおそれもある。
【０００９】
本発明は、以上のような課題を解決するためになされたものであり、ハンマー本体に取り付けられる重りを、製造コストの上昇を抑制しながら、製造時の効率及び歩留まりを高めることができる鍵盤楽器のハンマー装置を提供することを目的とする。
【課題を解決するための手段】
【００１０】
上記の目的を達成するために、請求項１に係る発明は、複数の鍵にそれぞれ対応して設けられた複数のハンマーを備え、押鍵された鍵と連動してハンマーが回動することによりタッチ重さを付与する鍵盤楽器のハンマー装置であって、複数のハンマーの各々は、前後方向に延び、前半部において回動自在に支持されるとともに、後半部に重り取付部を有するハンマー本体と、前後方向に延び、全てのハンマーにおいて形状及びサイズが同一に構成され、重り取付部の左右の一方の側面に取り付けられた第１重りと、前後方向に延び、第１重りの前後方向の長さ寸法以下であって、対応する鍵に要求されるタッチ重さに応じて設定された前後方向の長さ寸法を有し、重り取付部の左右の他方の側面に取り付けられた第２重りと、を有していることを特徴とする。
【００１１】
この構成によれば、複数のハンマーの各々が、いずれも前後方向に延びるハンマー本体、並びに第１及び第２重りを有しており、これらの第１及び第２重りが、前半部において回動自在に支持されたハンマー本体に対し、その後半部の重り取付部の左右の側面にそれぞれ取り付けられている。また、各ハンマーの第１重りは、全てのハンマーにおいて形状及びサイズが同一に形成されているので、単一の金型などによって、第１重りを容易に製造することができる。一方、各ハンマーの第２重りは、その前後方向の長さ寸法が、第１重りのそれ以下であって、対応する鍵に要求されるタッチ重さに応じて設定されている。
【００１２】
このように、第１及び第２重りをハンマー本体に取り付けることにより、第１重りでハンマーに要求される重さの半分以上を確保し、第２重りでハンマーに要求される重さを調整する。この第２重りは、前後方向の長さ寸法を適宜、設定することによって、重さが調整されるので、複雑な外形を有する重りを使用する従来に比べて、ハンマー本体に取り付けられる重りを、製造コストの上昇を抑制しながら、製造時の効率及び歩留まりを高めることができる。
【００１３】
請求項２に係る発明は、請求項１に記載の鍵盤楽器のハンマー装置において、第１重り及び第２重りは、互いに同一に構成されかつハンマー本体の重り取付部に取り付けられる被取付部を有していることを特徴とする。
【００１４】
この構成によれば、第１及び第２重りにおいて、ハンマー本体の重り取付部に取り付けられる被取付部が、互いに同一に構成されるので、全てのハンマーにおける第１及び第２重りの被取付部を、単一の金型などによって、効率よく形成することができる。
【００１５】
請求項３に係る発明は、請求項２に記載の鍵盤楽器のハンマー装置において、第１重り及び第２重りは、互いに厚さ及び幅が同一の金属板で構成されていることを特徴とする。
【００１６】
この構成によれば、第１及び第２重りが、互いに厚さ及び幅が同一の金属板で構成されるので、両重りの製造効率及び歩留まりを、より一層高めることができる。例えば、両重りと同一の厚さ及び幅を有する長尺の金属板をあらかじめ用意し、プレス加工などにより、その金属板に前記被取付部を形成するとともに、その金属板を所望の長さに切断することによって、第１及び第２重りを、比較的容易に製造することができる。
【図面の簡単な説明】
【００１７】
【図１】本発明の一実施形態によるハンマー装置を適用した電子ピアノの鍵盤装置（１オクターブ分）を示す斜視図である。
【図２】（ａ）は図１の鍵盤装置の平面図、（ｂ）は（ａ）のｂ−ｂ線で切断したときの図である。
【図３】（ａ）は図１の鍵盤装置の鍵盤シャーシ及び鍵を分解して示す斜視図であり、（ｂ）は鍵盤シャーシの後部の一部を拡大して示す斜視図である。
【図４】白鍵及び黒鍵を示す斜視図である。
【図５】鍵の後部を拡大して示す図であり、（ａ）は平面図、（ｂ）は右側面図である。
【図６】ハンマーを示す図であり、（ａ）はハンマーの外観を示す斜視図、（ｂ）はハンマー本体と重りを分解した状態を示す斜視図である。
【図７】ハンマーと鍵盤シャーシとの関係を説明するための説明図である。
【図８】（ａ）は、ハンマーと鍵盤シャーシの仕切部を拡大して示す図、（ｂ）は（ａ）のｂ−ｂ線で切断したときの図である。
【図９】ハンマーの重りを説明するための図であり、（ａ）はハンマー本体に取り付けられた状態の共通重り、（ｂ）〜（ｆ）はハンマー本体に取り付けられる前の状態の調整重りを示す。
【発明を実施するための形態】
【００１８】
以下、図面を参照しながら、本発明の好ましい実施形態を詳細に説明する。図１及び図２は、本発明の一実施形態によるハンマー装置を適用した電子ピアノの鍵盤装置を、離鍵状態において示している。なお、両図では、１オクターブ分のみを示している。
【００１９】
図１及び図２に示すように、この鍵盤装置１は、鍵盤シャーシ２と、この鍵盤シャーシ２に回動自在に取り付けられた白鍵３ａ及び黒鍵３ｂから成り、左右方向に並んだ状態に配置された複数の鍵３と、鍵３ごとに鍵盤シャーシ２に回動自在に取り付けられた複数のハンマー４と、各鍵３の押鍵情報を検出するための鍵スイッチ５などを備えている。
【００２０】
鍵盤シャーシ２は、所定の樹脂材料（例えばＡＢＳ樹脂）を射出成形することなどにより、所定形状の樹脂成形品で構成されている。図３（ａ）に示すように、この鍵盤シャーシ２では、その前部１１、中央部１２及び後部１３がいずれも全体として左右方向に延びるように形成され、これらが左右方向に適宜、間隔を隔てた複数のリブ１４によって連結されている。なお、以下の説明では、鍵盤シャーシ２の前部１１、中央部１２及び後部１３をそれぞれ、「シャーシ前部１１」、「シャーシ中央部１２」及び「シャーシ後部１３」というものとする。
【００２１】
シャーシ前部１１は、白鍵３ａをガイドするものである。このシャーシ前部１１には、白鍵３ａごとに、下方から挿入され、その白鍵３ａの横振れを防止するための複数（図３（ａ）では７つ）の白鍵ガイド部１１ａが立設されている。また、シャーシ前部１１には、各白鍵ガイド部１１ａの左右両側に、上下方向に貫通する係合孔１１ｂ、１１ｂが設けられており、両係合孔１１ｂ、１１ｂに、白鍵３ａの後述する左右２つの上限位置規制部２１ａ、２１ａがそれぞれ貫通した状態で係合する。
【００２２】
シャーシ中央部１２は、黒鍵３ｂをガイドするものである。このシャーシ中央部１２には、前記シャーシ前部１１と同様、黒鍵３ｂごとに、下方から挿入され、その黒鍵３ｂの横振れを防止するための複数（図３（ａ）では５つ）の黒鍵ガイド部１２ａが立設されている。また、シャーシ中央部１２の前方には、ハンマー４を支持するハンマー支持部１５が設けられている。このハンマー支持部１５は、左右方向に延びる一直線上に沿って延びる複数の支軸１５ａを有しており、これらの支軸１５ａに、ハンマー４が回動自在に支持されている。
【００２３】
また、上記のハンマー支持部１５とシャーシ前部１１の間には、前記鍵スイッチ５が取り付けられている。この鍵スイッチ５は、左右方向に延びる横長のプリント基板５ａと、このプリント基板５ａ上に鍵３ごとに取り付けられたゴムスイッチから成る複数のスイッチ本体５ｂとで構成されている。
【００２４】
シャーシ後部１３は、鍵３を、その後端部において上下方向に回動自在に支持するものである。図３（ｂ）に示すように、シャーシ後部１３は、隣接する鍵３、３同士を仕切るよう、互いに左右方向に所定間隔を隔てて、複数の仕切壁１６が設けられている。そして、互いに隣り合う仕切壁１６、１６間には、左右対称に形成され、鍵３を回動自在に支持する所定の鍵支持部１７が設けられている。具体的には、鍵支持部１７は、鍵３の後述する左右の支点軸２４、２４を下方からそれぞれ支持する左右の下側支持部１８、１８（図３（ｂ）では左側のもののみ図示）と、鍵３の後端部において、その上面から背面に亘る部位を上方から支持する左右一対の上側支持部１９、１９とを備えている。
【００２５】
鍵３は、所定の樹脂材料（例えばＡＳ樹脂）を射出成形することなどにより、前後方向に所定長さ延びるとともに、下方に開放する中空状に形成されている。図３（ａ）及び図４に示すように、白鍵３ａの前端部には、左右の側壁から下方に延びかつその下端部が前方に屈曲するように形成された左右一対の上限位置規制部２１（２１ａ）が設けられており、前記シャーシ前部１１の左右の係合孔１１ｂ、１１ｂにそれぞれ貫通した状態で係合している。また、白鍵３ａは、上限位置規制部２１ａよりも後方の所定位置に、下方に突出するアクチュエータ部２２（２２ａ）が、ハンマー４の後述する係合凹部３４に収容された状態で、これに係合している。一方、黒鍵３ｂは、その前端部に、白鍵３ａの上限位置規制部２１ａ及びアクチュエータ部２２ａと同様の機能を有する上限位置規制部２１（２１ｂ）及びアクチュエータ部２２（２２ｂ）を有している。
【００２６】
また、図４及び図５に示すように、鍵３の後部は、それよりも前側部分に対して横幅が狭く形成され、前後方向に延びる後部本体２３を有している。この後部本体２３の左右の側面にはそれぞれ、後端寄りの所定位置に、外方（左方及び右方）に突出する支点軸２４、２４が設けられている。各支点軸２４は、下半部に円弧面を有しかつ側面形状が半円状に形成された半円部２４ａと、この半円部２４ａの前後方向の中央から上方に突出するように形成された凸部２４ｂとを有している。なお、各支点軸２４の半円部２４ａには、その周面に溝２４ｃが形成されており、半円部２４ａの周面にグリスなどの潤滑剤が塗布されたときに、そのグリスを長期にわたって保持できるようになっている。
【００２７】
また、後部本体２３の後端部には、その上面から背面に亘り、所定の曲率を有する曲面２５が形成されている。この曲面２５は、その側面形状が、鍵３の支点軸２４を中心とする同心円に沿って凸状に湾曲するように形成されている。さらに、後部本体２３の後端部には、上記曲面２５に連なり、下方に向かって左右方向の横幅が次第に小さくなるテーパ部２６が設けられている。なお、上記の曲面２５には、支点軸２４の溝２４ｃと同様の機能を有する溝２５ａが形成されている。
【００２８】
図６に示すように、ハンマー４は、ハンマー本体３１と、このハンマー本体３１に取り付けられた２つの重り３２、３２とで構成されている。ハンマー本体３１は、所定の樹脂材料（例えばＰＯＭ（ポリアセタール））を射出成形することなどにより、所定形状の樹脂成形品で構成されている。このハンマー本体３１は、前後方向に所定長さ延びていて、前後方向の中央よりも前寄りの所定位置に、側面形状が下方に開放するＵ字状の軸受部３３を有しており、この軸受部３３が、鍵盤シャーシ２におけるハンマー支持部１５の支軸１５ａに回動自在に係合している。また、ハンマー本体３１の前半部には、軸受部３３の前方に、鍵３のアクチュエータ部２２に係合する係合凹部３４が設けられている。この係合凹部３４は、上方及び前方に開放しており、鍵３のアクチュエータ部２２の下端が係合凹部３４内の底面に当接した状態で、アクチュエータ部２２の下部を収容している。さらに、ハンマー本体３１の前半部には、係合凹部３４の下方に、鍵スイッチ５のスイッチ本体５ｂを押圧するための複数のスイッチ押圧部３５が設けられている。
【００２９】
ハンマー本体３１の後半部である重り取付部３６には、左右両側面の所定位置に、外方に突出する前後２つの係合凸部３７、３７が設けられるとともに、後ろ側の係合凸部３７の付近に、左右方向に貫通する取付孔３８が形成されている。なお、重り取付部３６の中央に設けられた切欠き３６ａは、離鍵状態の鍵盤装置１において、これを電子ピアノの棚板１０（図２参照）上に固定するためのねじなどが、ハンマー４に当たるのを回避するためのものである。
【００３０】
重り３２は、ハンマー本体３１よりも比重の大きな材料（例えば鉄などの金属）から成り、細長い板状の２枚の重りで構成されている。各重り３２は、所定の厚さ及び横幅を有する長尺の金属板をプレス加工することなどによって、所定形状に形成されている。具体的には、各重り３２には、ハンマー本体３１の２つの係合凸部３７、３７、取付孔３８及び切欠き３６ａにそれぞれ対応する前後２つの係合孔４１、４１、取付孔４２及び凹部４３が形成されている。また、両重り３２、３２は、ハンマー本体３１の重り取付部３６を両側から挟んだ状態で、それらの取付孔４２、４２及び３８に挿入されたリベット４４をかしめることによって、ハンマー本体３１に固定されている。
【００３１】
また、各ハンマー４の２つの重りの一方（以下「共通重り３２Ａ」という）は、所定長さを有し、全てのハンマー４において共通のものである。また、他方の重り（以下「調整重り３２Ｂ」という）は、共通重り３２Ａと同じ長さ、あるいはそれよりも短く形成されている。したがって、調整重り３２Ｂの長さを調整することにより、両重り３２Ａ、３２Ｂによるハンマー４の重さを変えることができるようになっている。
【００３２】
以上のように構成された鍵盤装置１では、図１及び図２に示す離鍵状態において、鍵３を押鍵すると、その鍵３が、後端部の左右の支点軸２４、２４を中心として下方に回動する。これに伴い、鍵３のアクチュエータ部２２が、ハンマー４の係合凹部３４を下方に押圧する。それにより、ハンマー４は、ハンマー支持部１５の支軸１５ａを中心として、図２（ｂ）の反時計方向に回動しながら、スイッチ押圧部３５で鍵スイッチ５の対応するスイッチ本体５ｂを上方から押圧する。なおこの場合、ハンマー４は、その後端部（共通重り３２Ａの後端部）がシャーシ後部１３のハンマーストッパ１３ａに下方から当接することによって、それ以上の回動が阻止される。以上の押鍵動作により、ハンマー４の重量及びトルクに応じた所定のタッチ重さが、鍵３に付与されるとともに、鍵３の押鍵情報が鍵スイッチ５を介して検出される。
【００３３】
一方、押鍵した鍵３を離鍵すると、ハンマー４が上記と逆方向に回動し、それに伴い、鍵３が、アクチュエータ部２２を介して押し上げられることにより、上方に回動する。その結果、鍵３及びハンマー４は、図１及び図２に示すように、もとの離鍵状態に復帰する。なお、この場合、鍵３は、その前端部の上限位置規制部２１が鍵盤シャーシ２の所定のストッパ２０に下方から当接することによって、それ以上の回動が阻止される。
【００３４】
次に、本発明に係るハンマー装置について、前述した図６、及び図７〜９を参照しながら、ハンマー４の構成をさらに詳細に説明する。図７は、ハンマー４と、その左右（同図の表裏）両側に近接した状態で、シャーシ中央部１２に設けられた左右の仕切部５０、５０（一方のみ図示）を示している。
【００３５】
ハンマー本体３１の左右の側面には、その前後方向の中央に、シャーシ中央部１２の左右の仕切部５０、５０に所定の隙間（例えば０．２ｍｍ）を介してそれぞれ対向する左右の対向凸部３９、３９が設けられている。各対向凸部３９は、重り３２よりも外方に所定長さ（例えば０．５ｍｍ）突出し、側面形状が、ハンマー本体３１の回動支点（支軸１５ａ）を中心とする同心円に沿って円弧状に延びるように形成されている。また、各対向凸部３９には、その長さ方向に沿って延びる溝３９ａが形成されており、対向凸部３９にグリスなどの潤滑剤が塗布されたときに、そのグリスを長期にわたって保持できるようになっている。
【００３６】
シャーシ中央部１２には、複数の前記仕切部５０が、左右方向に隣り合うハンマー４、４間を仕切るように、シャーシ中央部１２の水平な平坦部１２ｂから垂下している（図３（ａ）参照）。図７及び図８に示すように、各仕切部５０は、左右方向（図７及び図８（ａ）の表裏方向、図８（ｂ）の上下方向）に所定厚さを有する仕切壁５０ａと、この仕切壁５０ａの左右の両側面に上下方向に延びかつ対応するハンマー４側に突出するガイド凸部５０ｂとを有している。そして、図７に示す離鍵状態において、ハンマー４の対向凸部３９の上部が、図８に示すように、仕切部５０のガイド凸部５０ｂの下端部に、隙間を介して対向している。
【００３７】
また、前述したように、上記のハンマー４では、共通重り３２Ａは、全てのハンマー４において共通であり、したがって、形状及びサイズが同一に構成されている。一方、調整重り３２Ｂは、対応する鍵３に要求されるタッチ重さに応じて、前後方向の長さ寸法が設定されている。具体的には、低音側の鍵３に対応するハンマー４の調整重り３２Ｂは長く形成される一方、高音側の鍵３に対応するハンマー４の調整重り３２Ｂは短く形成されている。
【００３８】
図９（ａ）は、ハンマー本体３１に取り付けられた共通重り３２Ａ（第１重り）を示し、同図（ｂ）〜（ｆ）は、互いに長さが異なる調整重り３２Ｂ（第２重り）を示している。同図に示すように、これらの共通重り３２Ａ及び調整重り３２Ｂは、ハンマー本体３１の重り取付部３６に取り付けられる共通の被取付部４０を有している。すなわち、全ての重り３２Ａ、３２Ｂの被取付部４０は、ハンマー本体３１の重り取付部３６の２つの係合凸部３７、３７、取付孔３８、及び切欠き３６ａにそれぞれ対応する２つの係合孔４１、４１、取付孔４２及び凹部４３を有しており、これらの形状、サイズ及び位置が共通になっている。
【００３９】
したがって、上記の共通重り３２Ａ及び調整重り３２Ｂを製造する場合、製造すべき重り３２と同一の厚さ及び横幅を有する長尺の金属板を用意し、プレス加工などによって、その金属板に共通の被取付部４０を形成するとともに、その金属板を所望の長さに切断することによって、共通重り３２Ａ及び調整重り３２Ｂを、比較的容易に製造することができる。
【００４０】
以上詳述したように、本実施形態によれば、共通重り３２Ａ及び調整重り３２Ｂをハンマー本体３１に取り付けることにより、共通重り３２Ａでハンマー４に要求される重さの半分以上を確保し、調整重り３２Ｂでハンマー４に要求される重さを調整する。共通重り３２Ａは、全てのハンマー４において長さが同じであるので、各ハンマー４が回動する際の共通重り３２Ａの後端部の軌跡が同一になる。このため、鍵盤シャーシ２のシャーシ後部１３において、前記ハンマーストッパ１３ａを左右方向に一直線状に延びるように配置することが可能であり、それにより、押鍵された鍵３に連動して回動するハンマー４において、安定した回動角を得ることができる。また、調整重り３２Ｂは、前後方向の長さ寸法を適宜、設定することによって、重さが調整されるので、複雑な外形を有する重りを使用する従来に比べて、各ハンマー本体３１に取り付けられる２つの重り３２Ａ、３２Ｂを、製造コストの上昇を抑制しながら、製造時の効率及び歩留まりを高めることができる。また、共通重り３２Ａ及び調整重り３２Ｂにおいて、ハンマー本体３１の重り取付部３６に取り付けられる被取付部４０が、互いに同一に構成されているので、全てのハンマー４における共通重り３２Ａ及び調整重り３２Ｂの被取付部４０を、単一の金型などによって、効率よく形成することができる。
【００４１】
なお、本発明は、説明した上記実施形態に限定されることなく、種々の態様で実施することができる。例えば、実施形態では、本発明のハンマー装置を電子ピアノの鍵盤装置に適用した場合について説明したが、電子オルガンなどの他の鍵盤楽器にも適用することが可能である。また、ハンマー本体３１の重り取付部３６及び重り３２の被取付部４０の構成は、特に限定されるものではなく、ハンマー本体３１に重り３２を取付け可能であれば、種々の形状に構成することが可能である。
【００４２】
また、実施形態で示したハンマー４のハンマー本体３１、共通重り３２Ａ及び調整重り３２Ｂの細部の構成などは、あくまで例示であり、本発明の趣旨の範囲内で適宜、変更することができる。
【符号の説明】
【００４３】
１    鍵盤装置
３    鍵
４    ハンマー
３１    ハンマー本体
３２    重り
３２Ａ  共通重り（第１重り）
３２Ｂ  調整重り（第２重り）
３６    重り取付部
４０    重りの被取付部
【図１】
2015087591.tif 000003
【図２】
2015087591.tif 000004
【図３】
2015087591.tif 000005
【図４】
2015087591.tif 000006
【図５】
2015087591.tif 000007
【図６】
2015087591.tif 000008
【図７】
2015087591.tif 000009
【図８】
2015087591.tif 000010
【図９】
2015087591.tif 000011